(57)【要約】      （修正有）【課題】組立効率が向上した車両用ドアラッチ装置を提供する。【解決手段】ドアの閉移動に伴って進入するストライカに係合することにより、ドアを閉位置に保持可能な噛合機構を有する噛合部アッセンブリと、ドアをロック状態とアンロック状態とに切替え可能な操作機構を有する操作部アッセンブリと、を備え、噛合部アッセンブリは、ストライカに噛合してオープン位置から半ドア位置を経てラッチ位置に回転可能なラッチ２０５を有し、操作部アッセンブリは、噛合部アッセンブリを嵌着され、操作機構を組付けられるケーシングと、オープン位置及び半ドア位置又はラッチ位置にあるラッチと当接して押し込まれるスイッチピンを有する半ドア検出スイッチ３１１及びそれに接続された電気配線を組付けられ、一体としてケーシングに組付けられるスイッチプレート３１４と、を有し、ラッチの回転面とスイッチプレートのプレート面とが直交する車両用ドアラッチ装置。【選択図】図１０
2016089350.tif 000002
【特許請求の範囲】
【請求項１】
ドアまたは車体のいずれか一方に設けられ、前記ドアまたは前記車体のいずれか他方に設けられて前記ドアの閉移動に伴って進入するストライカに係合することにより、前記ドアを閉位置に保持可能な噛合機構を有する噛合部アッセンブリと、
前記ドアをロック状態とアンロック状態とに切替え可能な操作機構を有する操作部アッセンブリと、を備え、
前記噛合部アッセンブリは、
進入した前記ストライカに噛合してオープン位置から半ドア位置を経てラッチ位置に回転可能なラッチを有し、
前記操作部アッセンブリは、
前記噛合部アッセンブリを嵌着され、前記操作機構を組み付けられるケーシングと、
前記オープン位置および半ドア位置にある前記ラッチ、または前記ラッチ位置にある前記ラッチと当接して該ラッチに押し込まれるスイッチピンを有する半ドア検出スイッチおよび該半ドア検出スイッチに接続された電気配線を組み付けられ、一体として前記ケーシングに組み付けられるスイッチプレートと、を有し、
前記ラッチの回転面と、前記スイッチプレートのプレート面とが直交することを特徴とする車両用ドアラッチ装置。
【請求項２】
前記操作部アッセンブリは、
前記ドアをロック状態とするロック位置と、前記ドアをアンロック状態とするアンロック位置と、に切替え可能なロックレバーと、
前記ロックレバーをロック位置およびアンロック位置に切り替えるように正逆回転可能なモータと、を有し、
前記モータは、前記スイッチプレートに載置されることを特徴とする請求項１に記載の車両用ドアラッチ装置。
【請求項３】
前記操作部アッセンブリは、
キーシリンダのロックおよびアンロック操作により移動し、前記ロックレバーを前記ロック位置および前記アンロック位置に切り替え可能なスライドレバーを有し、
前記スイッチプレートは、前記ロックレバーの位置検出を行うロック／アンロック検出スイッチおよび該ロック／アンロック検出スイッチに接続された電気配線を組み付けられ、
前記モータは、前記スイッチプレートにおいて前記半ドア検出スイッチと前記ロック／アンロック検出スイッチとの中間の位置に載置されることを特徴とする請求項２に記載の車両用ドアラッチ装置。
【発明の詳細な説明】
【技術分野】
【０００１】
本発明は、車両用ドアラッチ装置に関するものである。
【背景技術】
【０００２】
車両用のドアラッチ装置の中には、ドアに固定される合成樹脂製のボディ、およびボディ内に収容され車体側のストライカに係合可能なラッチ、ラッチに係合可能なポール等の噛合機構を備える噛合部アッセンブリと、上記ボディの裏側に固定される合成樹脂製のケーシング、およびケーシング内に組み付けられ、噛合機構を操作することにより、ドアをロック状態とアンロック状態とに切り替え可能な操作機構を備える操作部アッセンブリとを一体化したものがある（たとえば特許文献１、２参照）。
【０００３】
さらに、ドアラッチ装置には、ラッチの位置を検出することにより、ドアの半ドア状態を検出する半ドア検出スイッチを備えているものがある。
【０００４】
また、ドアラッチ装置には、操作部アッセンブリに組み付けられるスイッチ、モータ等の電気的動作をする部品を載置され、操作部アッセンブリのケーシングに一体として組み付けられるスイッチプレートを備えるものがある。
【先行技術文献】
【特許文献】
【０００５】
【特許文献１】特許第４７６５１２３号公報
【特許文献２】特開２０１２−２３３３１８号公報
【発明の概要】
【発明が解決しようとする課題】
【０００６】
近年においては、ドアラッチ装置の組立効率を向上させるために自動組立てが行われており、さらなる組立効率の向上が求められている。そのため、ドアラッチ装置に組み付けられる電気的動作をする部品は、全てスイッチプレート上に載置されて一体として組み付けられることが好ましい。
【０００７】
しかしながら、従来半ドア検出スイッチは、スイッチプレート上に組み付けることができず、半ドア検出スイッチをスイッチプレートとは別に組み付けている場合があった。また、従来半ドア検出スイッチをスイッチプレート上に組み付け、半ドア検出スイッチとラッチとの間に中間部材を介在させる場合があった。このとき、スイッチプレートとは別に半ドア検出スイッチを組み付ける工程や、中間部材を組み付ける工程が必要となり、組立効率が低下するという課題がある。
【０００８】
本発明は、上記に鑑みてなされたものであって、組立効率が向上した車両用ドアラッチ装置を提供することを目的とする。
【課題を解決するための手段】
【０００９】
上述した課題を解決し、目的を達成するために、本発明の一態様に係る車両用ドアラッチ装置は、ドアまたは車体のいずれか一方に設けられ、前記ドアまたは前記車体のいずれか他方に設けられて前記ドアの閉移動に伴って進入するストライカに係合することにより、前記ドアを閉位置に保持可能な噛合機構を有する噛合部アッセンブリと、前記ドアをロック状態とアンロック状態とに切替え可能な操作機構を有する操作部アッセンブリと、を備え、前記噛合部アッセンブリは、進入した前記ストライカに噛合してオープン位置から半ドア位置を経てラッチ位置に回転可能なラッチを有し、前記操作部アッセンブリは、前記噛合部アッセンブリを嵌着され、前記操作機構を組み付けられるケーシングと、前記オープン位置および半ドア位置にある前記ラッチ、または前記ラッチ位置にある前記ラッチと当接して該ラッチに押し込まれるスイッチピンを有する半ドア検出スイッチおよび該半ドア検出スイッチに接続された電気配線を組み付けられ、一体として前記ケーシングに組み付けられるスイッチプレートと、を有し、前記ラッチの回転面と、前記スイッチプレートのプレート面とが直交することを特徴とする。
【００１０】
本発明の一態様に係る車両用ドアラッチ装置は、前記操作部アッセンブリは、前記ドアをロック状態とするロック位置と、前記ドアをアンロック状態とするアンロック位置と、に切替え可能なロックレバーと、前記ロックレバーをロック位置およびアンロック位置に切り替えるように正逆回転可能なモータと、を有し、前記モータは、前記スイッチプレートに載置されることを特徴とする。
【００１１】
本発明の一態様に係る車両用ドアラッチ装置は、前記操作部アッセンブリは、キーシリンダのロックおよびアンロック操作により移動し、前記ロックレバーを前記ロック位置および前記アンロック位置に切り替え可能なスライドレバーを有し、前記スイッチプレートは、前記ロックレバーの位置検出を行うロック／アンロック検出スイッチおよび該ロック／アンロック検出スイッチに接続された電気配線を組み付けられ、前記モータは、前記スイッチプレートにおいて前記半ドア検出スイッチと前記ロック／アンロック検出スイッチとの中間の位置に載置されることを特徴とする。
【発明の効果】
【００１２】
本発明によれば、組立効率が向上した車両用ドアラッチ装置を実現することができる。
【図面の簡単な説明】
【００１３】
【図１】図１は、本発明の実施の形態に係る車両用ドアラッチ装置の斜視図である。
【図２】図２は、図１に示す車両用ドアラッチ装置の噛合部アッセンブリの斜視図である。
【図３】図３は、図２に示す噛合部アッセンブリの構成を示す分解斜視図である。
【図４】図４は、図２に示す噛合部アッセンブリの内部構成を示す前面図である。
【図５】図５は、図２に示す噛合部アッセンブリの内部構成を示す後面図である。
【図６】図６は、図２に示す噛合部アッセンブリの第１レバーと第２レバーとの位置関係を示す前面図である。
【図７】図７は、図１に示す車両用ドアラッチ装置の操作部アッセンブリの構成を示す分解斜視図である。
【図８】図８は、図７に示す操作部アッセンブリのロック状態の動作を説明するための図である。
【図９】図９は、図７に示す操作部アッセンブリのアンロック状態の動作を説明するための図である。
【図１０】図１０は、図１に示す車両用ドアラッチ装置のラッチとスイッチプレートとの位置関係を示す図である。
【図１１】図１１は、オープン位置にあるラッチと半ドア検出スイッチとの位置関係を示す図である。
【図１２】図１２は、半ドア位置にあるラッチと半ドア検出スイッチとの位置関係を示す図である。
【図１３】図１３は、ラッチ位置にあるラッチと半ドア検出スイッチとの位置関係を示す図である。
【図１４】図１４は、図７に示す操作部アッセンブリのスイッチプレートについて説明するための図である。
【発明を実施するための形態】
【００１４】
以下に、図面を参照して本発明に係る車両用ドアラッチ装置の実施の形態を説明する。なお、この実施の形態によりこの発明が限定されるものではない。また、図面の記載において、同一または対応する要素には適宜同一の符号を付している。
【００１５】
（実施の形態）
以下、本実施の形態の車両用ドアラッチ装置を図１〜図１４に基づいて説明する。図１は、本発明の実施の形態に係る車両用ドアラッチ装置の斜視図である。なお、以下の説明では、ドアラッチ装置１００を車両に取り付けた状態において、図１中の左方を「車内側（Ｉ）」、右方を「車外側（Ｏ）」、上方を「上方（Ｕ）」、下方を「下方（Ｄ）」、図面奥側を「前方（Ｆ）」、図面手前側を「後方（Ｒ）」として説明する。これらの方向の定義は説明の便宜上のものであり、ドアラッチ装置１００の向きは、その取付車種や取付位置等によって変化することは勿論である。
【００１６】
本実施の形態のドアラッチ装置１００は、自動車の右側のフロントサイドドア（以下ドアと略称する）内の後端部に取り付けられるもので、車体側のストライカに係合することにより、ドアを閉扉状態に保持するための噛合部アッセンブリ２００を、噛合部アッセンブリ２００を操作するための操作部アッセンブリ３００に組み付けて、噛合部アッセンブリ２００と操作部アッセンブリ３００とを一体化することによって構成されている。
【００１７】
まず、噛合部アッセンブリ２００の構成を説明する。図２は、図１に示す車両用ドアラッチ装置の噛合部アッセンブリの斜視図である。図３は、図２に示す噛合部アッセンブリの構成を示す分解斜視図である。
【００１８】
図３に示すように、噛合部アッセンブリ２００は、ボディ２０１と、ボディ２０１の後方側に固定されるカバープレート２０２と、ボディ２０１の前方側に固定されるバックプレート２０３と、後方側から挿通されるラッチ軸２０４と、ラッチ軸２０４に回転可能に支持されるラッチ２０５と、ラッチ２０５に係合することでドアを閉位置に拘束するポール２０６と、ラッチ２０５とポール２０６との係合を解除するアウトサイドレバー２０７と、進入したストライカおよびポール２０６と当接するバンパラバー２０８とを備える。
【００１９】
つぎに、噛合部アッセンブリ２００の各部材について詳細に説明する。
【００２０】
ボディ２０１は、たとえば合成樹脂からなり、車体に設けられたストライカがドアの閉移動に伴って進入するストライカ進入溝２０１ａが、片面（後方側）に形成されている。
【００２１】
カバープレート２０２は、たとえば各種の金属からなり、ストライカが進入可能な切欠部２０２ａを有し、ボディ２０１のストライカ進入溝２０１ａが形成された後方側の面に組み付けられる。
【００２２】
バックプレート２０３は、たとえば各種の金属からなり、カバープレート２０２とボディ２０１を介装してラッチ軸２０４とボルトＶ１とにより固定される。その結果、噛合部アッセンブリ２００が一体化される。また、バックプレート２０３は、ボディ２０１の枢軸２０１ｂの先端に形成された十字突起を挿入される十字孔２０３ａを有する。
【００２３】
ラッチ軸２０４は、カバープレート２０２の軸孔２０２ｂ、ラッチ２０５の軸孔２０５ａ、およびボディ２０１の軸孔２０１ｃを後方側からこの順に貫通し、先端部の小径軸部２０４ａがバックプレート２０３の軸孔２０３ｂに実質的に回転不能に圧入される。
【００２４】
ラッチ２０５は、ラッチ軸２０４に枢支されてボディ２０１における後方側の内部に収容され、進入したストライカに噛合してオープン位置から半ドア位置を経てラッチ位置にラッチ軸２０４の軸回りに回転する。また、ラッチ２０５は、前方側に突出した係合部２０５ｂを有する。
【００２５】
図４は、図２に示す噛合部アッセンブリの内部構成を示す前面図である。図４は、ラッチ位置にあるラッチ２０５を図示している。ラッチ２０５は、図４に示すように係合部２０５ｂがスプリング２０９と係合することにより、ラッチ位置からオープン位置（図４において反時計回りの方向）に回転するように付勢されている。
【００２６】
図３に戻り、ポール２０６は、ボディ２０１に形成されたポール組付孔２０１ｄに組付けられる。さらに、ポール２０６は、前部の軸部２０６ａがバックプレート２０３の軸孔２０３ｃに、後部の軸部２０６ｂがカバープレート２０２の軸孔２０２ｃに挿通され、回動可能に枢支される。
【００２７】
つぎに、図４は、係合位置にあるポール２０６を図示している。ポール２０６は、スプリング２１０によりラッチ位置にあるラッチ２０５に係合可能な係合位置の方向へ、ラッチ２０５との係合が解除されるリリース位置から回転するように付勢される。すなわち、ポール２０６は、図４において時計回りの方向に付勢されている。
【００２８】
さらに、ポール２０６は、ドアに設けられたハンドルの開操作に基づいて、後述する操作部アッセンブリ３００のリリース部材３０２が当接してポール２０６を係合位置からリリース位置に回転させることによりラッチ２０５との係合を解除するリリースレバー２０６ｃを有する。
【００２９】
図５は、図２に示す噛合部アッセンブリの内部構成を示す後面図である。図５は、係合位置にあるポール２０６を図示しており、ポール２０６は反時計回りの方向に付勢されている。その結果、ポール２０６は、ラッチ２０５の回転に連動して係合位置からリリース位置に回転し、付勢力によりリリース位置から係合位置に回転してラッチ２０５に係合することでドアを閉位置に拘束する。また、ポール２０６は、ストライカＳに噛合したラッチ２０５と係合可能な係合部２０６ｄを有する。
【００３０】
図３に戻り、アウトサイドレバー２０７は、ボディ２０１の枢軸２０１ｂに挿通される軸孔２０７ａａを有する第１レバー２０７ａと、この第１レバー２０７ａの前方側に重合し、ボディ２０１の枢軸２０１ｂに挿通される軸孔２０７ｂａを有する第２レバー２０７ｂとの２分割構造となっている。そして、第１レバー２０７ａと第２レバー２０７ｂとは、それぞれラッチ軸２０４と平行をなすようにボディ２０１に前向きに一体形成した枢軸２０１ｂがバックプレート２０３の十字孔２０３ａに挿入されることにより、枢軸２０１ｂに回転可能に支持される。
【００３１】
第１レバー２０７ａは、図４に示すように、スプリング２１１によって、解除位置から待機位置（図４において時計回りの方向）に回転するように付勢されている。
【００３２】
図６は、図２に示す噛合部アッセンブリの第１レバーと第２レバーとの位置関係を示す前面図である。図６に示すように、第２レバー２０７ｂは、スプリング２１１によって、解除位置から待機位置（図６において時計回りの方向）に回転するように付勢されている。
【００３３】
第１レバー２０７ａと第２レバー２０７ｂとは、第２レバー２０７ｂの車内側に突出した爪状の係合部２０７ｂｂが第１レバー２０７ａの前後方向に延伸する係合部２０７ａｂの下面と当接することにより、図６に示す待機位置からリリース位置（図６において時計回りの方向）へ一体的に連動する。
【００３４】
第２レバー２０７ｂの車外側の端部は、ドアのアウタパネルに設けたアウトサイドハンドル（図示略）に、ロッド等の操作力伝達部材（図示略）を介して連結される。アウトサイドハンドルを開操作すると、第１レバー２０７ａの車内側の端部２０７ａｃに連結された後述する操作部アッセンブリ３００のリリース部材３０２を介して、ポール２０６のリリースレバー２０６ｃに開操作に基づいた入力を行い、ドアを開くことができる。
【００３５】
すなわち、アウトサイドレバー２０７は、ドアに設けられ車体の外部からドアを開けるアウトサイドハンドルの開操作に基づいて、解除位置から待機位置に回転することにより、連動するポール２０６をリリース位置から係合位置へ回転させ、ラッチ２０５とポール２０６との係合を解除させることができる。
【００３６】
図４に戻り、バンパラバー２０８は、ゴム等の弾性部材からなり、ボディ２０１に形成されたバンパラバー組付孔２０１ｅに組み付けられ、進入したストライカＳによる衝撃を吸収する。
【００３７】
スプリング２０９は、一方の端部２０９ａがボディ２０１の紙面手前側である前方側の被掛止部２０１ｆ、他方の端部２０９ｂがラッチ２０５の係合部２０５ｂにそれぞれ掛止され、ラッチ２０５を付勢する。
【００３８】
スプリング２１０は、一方の端部２１０ａがボディ２０１の被掛止部２０１ｇ、他方の端部２１０ｂがポール２０６の係合部２０６ｅにそれぞれ掛止され、ポール２０６を付勢する。
【００３９】
スプリング２１１は、一方の端部２１１ａがボディ２０１の被掛止部２０１ｇ、他方の端部２１１ｂが第１レバー２０７ａの係合部２０７ａｄにそれぞれ掛止され、第１レバー２０７ａおよび第２レバー２０７ｂを付勢する。
【００４０】
図３に戻り、ボルトＶ１は、ドアのインナパネルの取付孔（図示略）、カバープレート２０２の貫通孔２０２ｄ、およびボディ２０１の貫通孔２０１ｈをこの順に貫通し、バックプレート２０３のねじ孔２０３ｄに螺合される。
【００４１】
ボルトＶ２、ボルトＶ３は、ドアのインナパネルの取付孔（図示略）を貫通し、それぞれカバープレート２０２のねじ孔２０２ｅ、ねじ孔２０２ｆに螺合される。噛合部アッセンブリ２００は、これらのボルトＶ１〜ボルトＶ３により、操作部アッセンブリ３００とともにドアのインナパネルに固定される。この際、ボルトＶ１がバックプレート２０３のねじ孔２０３ｄにも螺合することにより、ボディ２０１の裏面にバックプレート２０３が固定される。
【００４２】
つぎに、噛合部アッセンブリ２００の動作を説明する。
【００４３】
はじめに、ドアを開状態から閉状態とするときの噛合部アッセンブリ２００の動作について説明する。ドアの閉操作が行われ、図５の矢印Ａ１１に示すように、ストライカＳがボディ２０１のストライカ進入溝２０１ａに進入してくると、ラッチ２０５が矢印Ａ１２のようにオープン位置から半ドア位置を経て図５に図示するラッチ位置に回転する。さらに、ラッチ２０５に当接してポール２０６の係合部２０６ｄが押下され、ポール２０６が矢印Ａ１３の方向に回転する。その後、ポール２０６は、スプリング２１０により付勢された方向（図５において反時計回りの方向）に回転し、ラッチ２０５の係合部２０５ｃとポール２０６の係合部２０６ｄとが係合する。このストライカＳとラッチ２０５とが噛合し、ラッチ２０５の係合部２０５ｃとポール２０６の係合部２０６ｄとが係合した状態がドアの閉状態である。
【００４４】
つぎに、ドアを閉状態から開状態とするときの噛合部アッセンブリ２００の動作について説明する。ドアの閉状態において、ポール２０６のリリースレバー２０６ｃにハンドルの開操作に基づいた入力が行われると、図５の矢印Ａ１３に示すようにポール２０６が係合位置からリリース位置に回転し、ラッチ２０５の係合部２０５ｃとポール２０６の係合部２０６ｄとの係合が解除される。すると、付勢力によりラッチ２０５がラッチ位置からオープン位置に回転し、ストライカＳとラッチ２０５との噛合が解除される。この状態から、さらにドアを車外方向に開扉操作するとドアが開状態となる。なお、ポール２０６は、ハンドルの開操作に基づいた入力が解除されると、スプリング２１０による付勢力によってリリース位置から係合位置に回転して戻る。
【００４５】
つぎに、操作部アッセンブリ３００の構成について説明する。操作部アッセンブリ３００は、アンロック状態にあるときには、ドアの車外側のアウトサイドハンドルまたはドアの車内側のインサイドハンドルを開操作することにより、噛合部アッセンブリ２００のラッチ２０５とストライカとの係合を解除してドアを開扉可能とし、また、ロック状態にあるときには、アウトサイドハンドルまたはインサイドハンドルを開操作しても、ドアを開扉不能とする機能を有する。
【００４６】
図７は、図１に示す車両用ドアラッチ装置の操作部アッセンブリの構成を示す分解斜視図である。図７に示すように、操作部アッセンブリ３００は、噛合部アッセンブリ２００とともに、平面視ほぼＬ字状のケーシング３０１に組み込まれる。
【００４７】
操作部アッセンブリ３００は、上述したアウトサイドレバー２０７における第１レバー２０７ａと係合するリリース部材３０２と、リリース部材３０２と係合しカムサイレンサー３０３を嵌着され、ロック位置およびアンロック位置に切り替え可能なロックレバー３０４と、リング３０５を嵌挿されたキーアクセス３０６と連動し、ロックレバー３０４をロック位置およびアンロック位置に切り替え可能なスライドレバー３０７と、ロックおよびアンロック操作用のモータ３０８と、モータ３０８の回転軸に固着されたウォーム３０８ａおよびカムサイレンサー３０３と噛み合いロックレバー３０４をロック位置およびアンロック位置に切り替え可能なウォームホイール３０９と、カプラ３１０、ラッチ２０５の位置検出を行う半ドア検出スイッチ３１１、ロックレバー３０４の位置検出を行うロック／アンロック検出スイッチ３１２、スライドレバー３０７の位置検出を行うキースイッチ３１３を連結するようにして、一体としてケーシング３０１に組み付けられるスイッチプレート３１４と、インサイドハンドルの開操作によりドアを開扉可能とするインサイドレバー３１５と、リリース部材３０２と係合するキャンセルレバー３１６とを備える。
【００４８】
そして、噛合部アッセンブリ２００および操作部アッセンブリ３００は、ケーシング３０１と、ケーシング３０１の車内側の開口部を覆い、ケーシング３０１にねじ３１７で固定される合成樹脂製のカバー部材３１８と、カバー部材３１８に車外方向から嵌着されてカプラ３１０の外周を保護するカプラクッション３１９と、上方から嵌着されてケース内への雨水等の浸入を防止するための合成樹脂製の防水カバー３２０と、カバー部材３１８の車内側側面に貼着され、車内側への雨水等の浸入を防止する防水シール３２１とによって構成されるケース内に収容される。
【００４９】
つぎに、操作部アッセンブリ３００の各部材について詳細に説明する。
【００５０】
ケーシング３０１は、たとえば合成樹脂からなり、噛合部アッセンブリ２００を嵌着され、操作部アッセンブリ３００の操作機構を組み付けられる。ケーシング３０１は、車内側が開口された操作部アッセンブリ収容部３０１ａと、この操作部アッセンブリ収容部３０１ａにおける後端から車外方向へほぼ直角をなすように延出し操作部アッセンブリ収容部３０１ａと連続する噛合部アッセンブリ収容部３０１ｂとを備える。
【００５１】
リリース部材３０２は、連結部３０２ａにアウトサイドレバー２０７の第１レバー２０７ａにおける車内側の端部２０７ａｃを連結され、アウトサイドレバー２０７と連動する。また、リリース部材３０２は、アンロック状態におけるインサイドハンドルの開操作により回転するインサイドレバー３１５と当接して連動する。
【００５２】
カムサイレンサー３０３は、上方側中央に形成された溝がウォームホイール３０９の車外側に形成され係合部（図示略）と係合する。
【００５３】
ロックレバー３０４は、車内外方向を向く軸筒３０４ａを、操作部アッセンブリ収容部３０１ａの側面に突設された車内側を向く支持軸３０１ａａに、車内側より嵌合することにより、操作部アッセンブリ収容部３０１ａ内に組み込まれている。ロックレバー３０４は、ターンオーバースプリング３２２により、ロック位置にあるときはロック位置の方向に、アンロック位置にあるときはアンロック位置の方向にそれぞれ付勢されている。
【００５４】
さらに、ロックレバー３０４は、軸筒３０４ａにスプリング３２３を挿通され、その上からリリース部材３０２が組み付けられる。その結果、リリース部材３０２は、スプリング３２３によりポール２０６との係合が解除される方向（図７において下方側）に付勢される。
【００５５】
また、ロックレバー３０４は、スライドレバー３０７やモータ３０８の動作により、リリース部材３０２がポール２０６と係合しないロック位置とリリース部材３０２がポール２０６と係合するアンロック位置とに切り替えられる。
【００５６】
キーアクセス３０６は、ドアのアウタパネルに設けられたキーシリンダ（図示略）のロックおよびアンロック操作により回転する。
【００５７】
スライドレバー３０７は、操作部アッセンブリ収容部３０１ａ内に車内側より組み込まれる。そして、スライドレバー３０７は、キーアクセス３０６の回転に連動して上下方向に移動し、ロックレバー３０４をロック位置およびアンロック位置に切り替える。
【００５８】
モータ３０８は、スイッチプレート３１４の略中央部に形成された開口部３１４ａに底部が嵌合するように、スイッチプレート３１４に載置される。そして、モータ３０８は、回転軸に固着されたウォーム３０８ａがウォームホイール３０９と噛合して正逆回転し、ロックレバー３０４をロック位置およびアンロック位置に切り替える。
【００５９】
ウォームホイール３０９は、中心の軸孔３０９ａを、操作部アッセンブリ収容部３０１ａの中央部に突設された車内側を向く支持軸３０１ａｂに嵌合することにより、操作部アッセンブリ収容部３０１ａ内に車内側より組み込まれる。そして、ウォームホイール３０９は、外周に形成された歯がモータ３０８のウォーム３０８ａと噛合し、車外側に形成された係合部がカムサイレンサー３０３と噛合する。その結果、ウォームホイール３０９は、モータ３０８の回転によりロックレバー３０４をロック位置およびアンロック位置に切り替える。
【００６０】
半ドア検出スイッチ３１１は、オープン位置および半ドア位置にあるラッチ２０５と当接してラッチ２０５にスイッチピンを押し込まれ、ラッチ位置にあるラッチ２０５に当接せずスイッチピンを押し込まれないことにより、ドアの半ドア状態を検出する。半ドア状態が検出されると、たとえば車両のルームランプが点灯する。
【００６１】
ロック／アンロック検出スイッチ３１２は、アンロック位置にあるロックレバー３０４にスイッチピンを押し込まれ、ロック位置にあるロックレバー３０４にスイッチピンを押し込まれないことにより、ドアのロック／アンロック状態を検出する。
【００６２】
キースイッチ３１３は、後方側に突出したレバーがスライドレバー３０７と係合して上下にスイッチングされることにより、スライドレバー３０７の位置を検出し、キーシリンダの位置を検出する。
【００６３】
スイッチプレート３１４は、車両の前後方向および上下方向に広がるプレート面に、カプラ３１０、半ドア検出スイッチ３１１、ロック／アンロック検出スイッチ３１２、キースイッチ３１３、および組み付けられた各部品に接続された電気配線を組み付けられ、一体としてケーシング３０１に組み付けられる。
【００６４】
インサイドレバー３１５は、上端部の軸孔３１５ａを、操作部アッセンブリ収容部３０１ａの後方側の端部の側面に突設された車内側を向きスプリング３２４を挿通された支持軸３０１ａｃに嵌合することにより、操作部アッセンブリ収容部３０１ａ内に車内側より組み込まれる。そして、インサイドレバー３１５は、スプリング３２４によりインサイドハンドルによる開操作を待機状態に戻す方向（図７において反時計回りの方向）に回転するように付勢される。インサイドレバー３１５は、アンロック状態にあるとき、インサイドハンドルの開操作によりドアを開扉可能とする。
【００６５】
キャンセルレバー３１６は、リリース部材３０２と係合する。キャンセルレバー３１６によって、ドアを開けた状態でロックノブをロック操作してロック状態にし、そのままの状態でドアを閉じると、ドアを閉じた時点でロック状態はキャンセルされてアンロック状態に切り替えられ、かつ、ドアを開けた状態でロックノブをロック操作してロック状態として、アウトサイドハンドルを開操作しながらドアを閉じた場合には、ロック状態はキャンセルされない。
【００６６】
つぎに、操作部アッセンブリ３００の動作を説明する。
【００６７】
はじめに、ドアがロック状態、すなわちロックレバー３０４がロック位置にある場合について説明する。図８は、図７に示す操作部アッセンブリのロック状態の動作を説明するための図である。図８は、ドアラッチ装置１００を紙面手前側である車内側から視た図である。
【００６８】
まず、図８に示すように、インサイドハンドルにドアの開操作が行われると、インサイドレバー３１５の係合部３１５ｂが矢印Ａ２１の方向に引っ張られる。すなわち、インサイドレバー３１５は、軸孔３１５ａを軸心として軸回りに回転する方向に力を加えられる。このとき、インサイドレバー３１５の係合部３１５ｃとロックレバー３０４の係合部３０４ｂとが当接し、インサイドレバー３１５は、回転しない。したがって、ドアの閉状態が維持される。
【００６９】
つぎに、アウトサイドハンドルにドアの開操作が行われると、アウトサイドレバー２０７の第２レバー２０７ｂに連動してアウトサイドレバー２０７の第１レバー２０７ａが矢印Ａ２２の方向に回転する。このとき、第１レバー２０７ａの端部２０７ａｃとリリース部材３０２の連結部３０２ａとが連結されているため、第１レバー２０７ａの回転にあわせてリリース部材３０２が連動する。ここで、ロック状態においてリリース部材３０２が矢印Ａ２３のように上方側に移動しても、リリース部材３０２の係合部３０２ｂは、ポール２０６のリリースレバー２０６ｃと当接せずに空振りするため、ドアの閉状態が維持される。
【００７０】
以上から、操作部アッセンブリ３００は、ロック状態において、インサイドハンドルまたはアウトサイドハンドルを開操作しても、ドアの閉状態が維持されるように動作する。
【００７１】
つぎに、ドアがアンロック状態、すなわちロックレバー３０４がアンロック位置にある場合について説明する。図９は、図７に示す操作部アッセンブリのアンロック状態の動作を説明するための図である。図９は、ドアラッチ装置１００の車内側を後方側から視た斜視図である。
【００７２】
まず、ドアのアンロック状態において、ロックレバー３０４は、矢印Ａ２４のようにロック位置から時計回りの方向に回転したアンロック位置に位置する。これと連動して、リリース部材３０２は、矢印Ａ２５のようにロック状態より後方側に位置している。
【００７３】
ここで、図９に示すように、インサイドハンドルにドアの開操作が行われると、インサイドレバー３１５の係合部３１５ｂが矢印Ａ２６の方向に引っ張られる。すると、インサイドレバー３１５は、矢印Ａ２７のように軸孔３１５ａを軸心として軸回りに回転する。このとき、インサイドレバー３１５の係合部３１５ｄとリリース部材３０２の下方側の端部とが当接し、矢印Ａ２８のようにリリース部材３０２が上方側に移動する。さらに、アンロック状態では、リリース部材３０２の係合部３０２ｂとポール２０６のリリースレバー２０６ｃとが当接するため、矢印Ａ２９のようにポール２０６が回転する。その結果、ポール２０６とラッチ２０５との係合が解除され、矢印Ａ３０のようにラッチ２０５が回転し、ラッチ２０５とストライカとの噛合が解除される。そして、この状態からドアを車外方向に開扉操作するとドアが開状態となる。
【００７４】
つぎに、アウトサイドハンドルにドアの開操作が行われると、アウトサイドレバー２０７の第２レバー２０７ｂは、矢印Ａ３１の方向に引っ張られる。すると第２レバー２０７ｂと連動してアウトサイドレバー２０７の第１レバー２０７ａが矢印Ａ３２の方向に回転する。このとき、第１レバー２０７ａの端部２０７ａｃとリリース部材３０２の連結部３０２ａとが連結されているため、第１レバー２０７ａの回転にあわせて、矢印Ａ２８のようにリリース部材３０２が上方側に連動する。そして、リリース部材３０２の係合部３０２ｂは、ポール２０６のリリースレバー２０６ｃと当接するため、矢印Ａ２９のようにポール２０６が回転する。その結果、ポール２０６とラッチ２０５との係合が解除され、矢印Ａ３０のようにラッチ２０５が回転し、ラッチ２０５とストライカとの噛合が解除される。そして、この状態からドアを車外方向に開扉操作するとドアが開状態となる。
【００７５】
以上から、操作部アッセンブリ３００は、アンロック状態において、インサイドハンドルまたはアウトサイドハンドルを開操作すると、ドアを開状態とするように動作する。
【００７６】
ここで、従来ラッチの位置を検出する半ドア検出スイッチは、直接スイッチプレート上に組み付けることができないため、半ドア検出スイッチをスイッチプレートとは別に組み付ける場合があった。また、従来半ドア検出スイッチとラッチとの間に中間部材を介在させる場合があった。
【００７７】
まず、ラッチは、ストライカと噛合するため、ストライカの棒状の噛合部が延伸する方向（車両の前後方向）とラッチの回転面（車両の上下左右方向の面）とが直交する。そして、ドアラッチ装置は、ドア内に設置されるため、ドアラッチ装置は、車両の左右方向においてドアの厚さによる制限を受け、車両の前後方向および上下方向に延伸する形状となり、スイッチプレートのプレート面も車両の前後方向および上下方向に延伸する形状となる。以上から、ラッチの回転面とスイッチプレートのプレート面とは直交する。
【００７８】
つぎに、半ドア検出スイッチは、ラッチの位置を検出するためのスイッチピンを有する。そして、従来半ドア検出スイッチの設置面と、スイッチピンを押し込む部材の駆動面とは、同一の面内となるように設定されていた。
【００７９】
したがって、従来ラッチの回転面と同一面内に設置される半ドア検出スイッチと、ラッチの回転面と直交するプレート面を有するスイッチプレートとを別に組み付ける場合があった。また、従来のドアラッチ装置においては、半ドア検出スイッチをスイッチプレートに組み付け、中間部材を介在させる場合があった。
【００８０】
これに対して、ドアラッチ装置１００において、半ドア検出スイッチ３１１は、スイッチプレート３１４上に組み付けられ、ラッチ２０５が直接半ドア検出スイッチ３１１のスイッチピンを押し込む構成である。図１０は、図１に示す車両用ドアラッチ装置のラッチとスイッチプレートとの位置関係を示す図である。図１０に示すように、ドアラッチ装置１００において、ラッチ２０５の回転面と、半ドア検出スイッチ３１１を設置するスイッチプレート３１４のプレート面とが直交している。そして、ドアラッチ装置１００は、半ドア検出スイッチ３１１のスイッチピンを、スイッチピンの設置面であるスイッチプレート３１４のプレート面と直交する方向でする回転するラッチ２０５で直接押し込む設計とした。
【００８１】
ここで、半ドア検出スイッチ３１１の動作についてより詳細に説明する。図１１は、オープン位置にあるラッチと半ドア検出スイッチとの位置関係を示す図である。オープン位置において、ラッチ２０５とポール２０６とは係合してない。図１１に示すように、半ドア検出スイッチ３１１は、オープン位置にあるラッチ２０５と当接してラッチ２０５にスイッチピン３１１ａを押し込まれる。
【００８２】
図１２は、半ドア位置にあるラッチと半ドア検出スイッチとの位置関係を示す図である。半ドア位置において、ラッチ２０５の係合部２０５ｄとポール２０６の係合部２０６ｄとが係合している。図１２に示すように、半ドア検出スイッチ３１１は、半ドア位置にあるラッチ２０５と当接してラッチ２０５にスイッチピン３１１ａを押し込まれる。
【００８３】
図１３は、ラッチ位置にあるラッチと半ドア検出スイッチとの位置関係を示す図である。ラッチ位置において、ラッチ２０５の係合部２０５ｃとポール２０６の係合部２０６ｄとが係合している。図１３に示すように、半ドア検出スイッチ３１１は、ラッチ位置にあるラッチ２０５と当接せずスイッチピン３１１ａを押し込まれない。
【００８４】
したがって、半ドア検出スイッチ３１１は、スイッチピンが押し込まれた状態をオープン位置または半ドア位置として検出し、スイッチピンが押し込まれていない状態をラッチ位置として検出する。
【００８５】
以上説明したように、ドアラッチ装置１００において、ラッチ２０５の回転面とスイッチプレート３１４のプレート面とが直交し、半ドア検出スイッチ３１１をスイッチプレート３１４に組み付けている。その結果、ドアラッチ装置１００は、半ドア検出スイッチ３１１を含むすべての電気的動作をする部品をスイッチプレート３１４上に組み付けることができ、さらにラッチ２０５と半ドア検出スイッチ３１１との間に中間部材を介在させる必要もない。したがって、ドアラッチ装置１００は、組立効率が向上した車両用ドアラッチ装置である。
【００８６】
また、従来スイッチプレートは、ドアラッチ装置内の離れた位置にあるモータ、各種スイッチ等の複数の電気的動作をする部品を載置されるため、細長いアーム状の形状を有し、その先端に各部品を載置される構成であった。そのため、アーム部がケーシングから浮かないように、ケーシングに嵌合部を設ける等の処置をする必要があり、ケーシングの構成が複雑化するという課題があった。
【００８７】
これに対し、ドアラッチ装置１００においては、モータ３０８がスイッチプレート３１４に載置されている。その結果、モータ３０８がスイッチプレート３１４を押さえつけ、スイッチプレート３１４の浮き上がりが低減される。したがって、ケーシング３０１に嵌合部を設ける必要がなく、ケーシング３０１の複雑化を防止することができる。
【００８８】
図１４は、図７に示す操作部アッセンブリのスイッチプレートについて説明するための図である。図１４に示すように、ドアラッチ装置１００においては、モータ３０８がスイッチプレート３１４において半ドア検出スイッチ３１１とロック／アンロック検出スイッチ３１２との中間の位置に載置されている。このとき、モータ３０８がスイッチプレート３１４の略中央に位置し、モータ３０８がスイッチプレート３１４を押さえつけ、スイッチプレート３１４の浮き上がりを低減する効果がより顕著となる。
【００８９】
以上のように、本実施の形態に係るドアラッチ装置１００は、組立効率が向上した車両用ドアラッチ装置である。
【００９０】
なお、上記実施の形態において、車両用ドアラッチ装置がドア側に設けられており、ストライカが車体側に設けられているものとして説明したが、本発明はこれに限られない。すなわち、本発明は、車両用ドアラッチ装置が車体側に設けられており、ストライカがドア側に設けられている場合にも適応可能である。
【００９１】
また、上記実施の形態において、車両用ドアラッチ装置は、自動車のフロントサイドドアに取り付けられるものとして説明したが、本発明の車両用ドアラッチ装置は、リアドアにも取り付け可能であることは勿論である。
【００９２】
また、上記実施の形態において、車両用ドアラッチ装置は、自動車の右側のドアに取り付けられるものとして説明したが、本発明の車両用ドアラッチ装置を自動車の左側のドアに取り付ける場合には、車両前後方向に沿った平面に対して左右対称に構成すればよい。
【００９３】
また、上記実施の形態において、半ドア検出スイッチ３１１は、オープン位置および半ドア位置にあるラッチ２０５と当接してラッチ２０５にスイッチピンを押し込まれるものとして説明したが、本発明はこれに限られない。すなわち、半ドア検出スイッチは、ラッチ位置にあるラッチと当接してラッチにスイッチピンを押し込まれ、オープン位置および半ドア位置にあるラッチにスイッチピンを押し込まれないことにより、ドアの半ドア状態を検出する構成であってよい。
【００９４】
また、上記実施の形態により本発明が限定されるものではない。上述した各構成要素を適宜組み合わせて構成したものも本発明に含まれる。また、さらなる効果や変形例は、当業者によって容易に導き出すことができる。よって、本発明のより広範な態様は、上記の実施の形態に限定されるものではなく、様々な変更が可能である。
【符号の説明】
【００９５】
１００  ドアラッチ装置
２００  噛合部アッセンブリ
２０１  ボディ
２０１ａ  ストライカ進入溝
２０１ｂ  枢軸
２０１ｃ、２０２ｂ、２０２ｃ、２０３ｂ、２０３ｃ、２０５ａ、２０７ａａ、２０７ｂａ、３０９ａ、３１５ａ  軸孔
２０１ｄ  ポール組付孔
２０１ｅ  バンパラバー組付孔
２０１ｆ、２０１ｇ  被掛止部
２０１ｈ、２０２ｄ  貫通孔
２０２  カバープレート
２０２ａ  切欠部
２０２ｅ、２０２ｆ、２０３ｄ  ねじ孔
２０３  バックプレート
２０３ａ  十字孔
２０４  ラッチ軸
２０４ａ  小径軸部
２０５  ラッチ
２０５ｂ、２０５ｃ、２０５ｄ、２０６ｄ、２０６ｅ、２０７ａｂ、２０７ａｄ、２０７ｂｂ、３０２ｂ、３０４ｂ、３１５ｂ、３１５ｃ、３１５ｄ  係合部
２０６  ポール
２０６ａ、２０６ｂ  軸部
２０６ｃ  リリースレバー
２０７  アウトサイドレバー
２０７ａ  第１レバー
２０７ａｃ、２０９ａ、２０９ｂ、２１０ａ、２１０ｂ、２１１ａ、２１１ｂ  端部
２０７ｂ  第２レバー
２０８  バンパラバー
２０９、２１０、２１１、３２３、３２４  スプリング
３００  操作部アッセンブリ
３０１  ケーシング
３０１ａ  操作部アッセンブリ収容部
３０１ａａ、３０１ａｂ、３０１ａｃ  支持軸
３０１ｂ  噛合部アッセンブリ収容部
３０２  リリース部材
３０２ａ  連結部
３０３  カムサイレンサー
３０４  ロックレバー
３０４ａ  軸筒
３０５  リング
３０６  キーアクセス
３０７  スライドレバー
３０８  モータ
３０８ａ  ウォーム
３０９  ウォームホイール
３１０  カプラ
３１１  半ドア検出スイッチ
３１１ａ  スイッチピン
３１２  ロック／アンロック検出スイッチ
３１３  キースイッチ
３１４  スイッチプレート
３１４ａ  開口部
３１５  インサイドレバー
３１６  キャンセルレバー
３１７  ねじ
３１８  カバー部材
３１９  カプラクッション
３２０  防水カバー
３２１  防水シール
３２２  ターンオーバースプリング
Ｖ１、Ｖ２、Ｖ３  ボルト
Ａ１１、Ａ１２、Ａ１３、Ａ２１、Ａ２２、Ａ２３、Ａ２４、Ａ２５、Ａ２６、Ａ２７、Ａ２８、Ａ２９、Ａ３０、Ａ３１、Ａ３２  矢印
Ｓ  ストライカ
【図１】
2016089350.tif 000003
【図２】
2016089350.tif 000004
【図３】
2016089350.tif 000005
【図４】
2016089350.tif 000006
【図５】
2016089350.tif 000007
【図６】
2016089350.tif 000008
【図７】
2016089350.tif 000009
【図８】
2016089350.tif 000010
【図９】
2016089350.tif 000011
【図１０】
2016089350.tif 000012
【図１１】
2016089350.tif 000013
【図１２】
2016089350.tif 000014
【図１３】
2016089350.tif 000015
【図１４】
2016089350.tif 000016